(57)【要約】      （修正有）【課題】保存容器内に残っているガスを追い出し、容器内のヘッドスペースを完全になくすことで、液体試料を安定的に保存することができる保存容器を提供する。さらに、保存容器内の液体試料などの保存液を濃度変化させることなく採取できる保存容器を提供する。【解決手段】円筒形の胴部１１と、胴部の下端に設けられた底部１２と、上端に設けられた開口部１３とからなる容器本体１と、円筒形の外壁２１と、外壁の内方に設けられた中筒２２と、外壁の上端より中筒の上端までを覆う頂板２３とからなる蓋２とを有する保存容器であって、容器本体の胴部の外面の開口部から底部にかけて、蓋の外壁の内面の頂板から下端にかけて、互いに螺合する雄螺子１４と雌螺子２４が設けられていることを特徴とする。【選択図】図２
2013060229.tif 000002
【特許請求の範囲】
【請求項１】
円筒形の胴部と、該胴部の下端に設けられた底部と、上端に設けられた開口部とからなる容器本体と、円筒形の外壁と、該外壁の内方に設けられた中筒と、前記外壁の上端より前記中筒の上端までを覆う頂板とからなる蓋とを有する保存容器であって、
前記容器本体の胴部の外面の開口部から底部にかけて、前記蓋の外壁の内面の頂板から下端にかけて、互いに螺合する雄螺子と雌螺子が設けられていることを特徴とする保存容器。
【請求項２】
前記容器本体の雄螺子と前記蓋の雌螺子により、前記蓋を回すことで、該蓋に設けられた中筒が前記容器本体内に入り込み、前記容器本体内のガスが前記中筒の内部を通り、抜かれることを特徴とする請求項1記載の保存容器。
【請求項３】
前記蓋に設けられた中筒の上端はゴム栓で密栓され、且つ、前記ゴム栓に中空針を貫通させることで、容器本体内の保存液を取り出すことが可能である特徴とする請求項１または２記載の保存容器。
【発明の詳細な説明】
【技術分野】
【０００１】
本発明は、保存容器に関する。特に、液体試料などの保存液を安定的に保存する保存容器に関するものである。
【背景技術】
【０００２】
化学実験において、試料に含まれる成分を定量する場合、標準物質（ＳＴＤ）から検量線を作成し、その検量線より試料に含まれる成分を定量する方法が多く用いられている。このＳＴＤは成分の含有量などが変化してしまうことがあることから、アンプル瓶や、フラスコ、あるいは、ネジ口瓶などの保存に適していると思われる容器に移し保存している。
【０００３】
しかし、アンプル瓶保存の場合では、開封後の保存が難しいことから廃棄することになり、廃棄されたＳＴＤは少量であっても環境への負荷が懸念される。また、フラスコやネジ口瓶による保存の場合では、密栓を開けてＳＴＤを採取するため、開封の都度、成分の濃度が変化することになり、ＳＴＤとしての価値がなくなってしまう。
【０００４】
これまで、これらの問題を解決するための方法として、例えば、気密性が完全とは思われないフラスコやネジ口瓶による保存の場合では、冷蔵（冷凍含む）によりＳＴＤの成分の濃度変化を防ぐことが一般に行われている。
【０００５】
この気密性を改良したものとして、容器本体の口部開口縁に、内側に向かって傾斜するテーパーを形成し、この口部の内側に嵌入する密閉栓を設け、密封栓の周囲に、口部のテーパーに当接する密封用のパッキンを装着し、容器本体の口部に螺合する螺合手段で密封栓を容器本体の口部に固定する固定キャップを設け、この固定キャップの押圧力で、テーパーに当接したパッキンを口部の内側に向けて圧入する高気密保存容器がある（特許文献１）。
【０００６】
一方、容器内の空気を抜き、真空にすることで液体に含まれる成分の劣化を防止する装置がある（特許文献２）。
【０００７】
さらに、容器内にガラス棒を入れ、容器内のヘッドスペースの体積を減らすことで液体に含まれる成分の劣化を防止するものがある（特許文献３）。
【０００８】
公知文献を以下に示す。
【先行技術文献】
【特許文献】
【０００９】
【特許文献１】実用新案登録第３０６９６５８号公報
【特許文献２】特開２００１−５８７００号公報
【特許文献３】特開２００１−１３９０３２号公報
【００１０】
しかしながら、上記、冷蔵（冷凍含む）によりＳＴＤの濃度変化を防ぐ方法は、常温に戻す方法が不適切であると気密性の悪い部分から揮発性の高い成分が優先的に抜けてしまうことがある。
【００１１】
また、特許文献１記載の保存方法はＳＴＤを採取するのにマイクロシリンジが必要で採取量も限られ、また、長期に渡って使用する場合、ＳＴＤの量が減ることでヘッドスペースが存在してしまいＳＴＤの濃度が変化してしまう。
【００１２】
さらに、特許文献２記載の保存方法は真空にするための構成が複雑であり、安全性に問題がある。
【００１３】
さらに、特許文献３記載の保存方法の容器内にガラス棒を入れる方法は、容器内のヘッドスペースを完全になくすことはできず、また、ヘッドスペースの体積変化に柔軟な対応ができない。
【発明の概要】
【発明が解決しようとする課題】
【００１４】
本発明は、保存容器内に残っているガスを追い出し、容器内のヘッドスペースを完全になくすことで、液体試料を安定的に保存することができる保存容器を提供すること、さらに、保存容器内の液体試料などの保存液を濃度変化させることなく採取できる保存容器を提供することを課題とする。
【課題を解決するための手段】
【００１５】
本発明は係る課題に鑑みなされたものであり、請求項１の発明は、円筒形の胴部と、該胴部の下端に設けられた底部と、上端に設けられた開口部とからなる容器本体と、円筒形の外壁と、該外壁の内方に設けられた中筒と、前記外壁の上端より前記中筒の上端までを覆う頂板とからなる蓋とを有する保存容器であって、
前記容器本体の胴部の外面の開口部から底部にかけて、前記蓋の外壁の内面の頂板から下端にかけて、互いに螺合する雄螺子と雌螺子が設けられていることを特徴とする保存容器である。
【００１６】
本発明の請求項２の発明は、前記容器本体の雄螺子と前記蓋の雌螺子により、前記蓋を回すことで、該蓋に設けられた中筒が前記容器本体内に入り込み、前記容器本体内のガスが前記中筒の内部を通り、抜かれることを特徴とする請求項1記載の保存容器である。
【００１７】
本発明の請求項３の発明は、前記蓋に設けられた中筒の上端はゴム栓で密栓され、且つ、前記ゴム栓に中空針を貫通させることで、容器本体内の保存液を取り出すことが可能である特徴とする請求項１または２記載の保存容器である。
【発明の効果】
【００１８】
本発明の保存容器は、保存容器内に残っているガスを追い出すことが確実且つ容易にでき、保存容器内の液体試料などの保存液を安定的に保存することができる。さらに、保存容器内の保存液を濃度変化させることなく採取できる。
【図面の簡単な説明】
【００１９】
【図１】本発明の保存容器の一例を断面で示した説明図である。
【図２】本発明の保存容器の一例のそれぞれの部材を断面で示した説明図である。
【図３】本発明の保存容器の一例で保存液を保存する状態を示した説明図である。
【発明を実施するための形態】
【００２０】
以下本発明を実施するための形態につき説明する。
図1は本発明の保存容器の一例を断面で示した説明図、図２は、本発明の保存容器の一例のそれぞれの部材を断面で示した説明図である。
【００２１】
容器本体１は、円筒形の胴部１１と、胴部１１の下端に設けられた底部１２と、胴部１１の上端に設けられた開口部１３からなり、胴部１１の外面には開口部１３の近傍から底部１２の近傍にかけて雄螺子１４が設けられている。
【００２２】
蓋２は、円筒形の外壁２１と、外壁２１の内方には中筒２２と、外壁２１の上端より中筒２２の上端までを覆う頂板２３からなり、外壁２１の内面には頂板２３の近傍から下端の近傍にかけて雌螺子２４が設けられている。
【００２３】
そして、容器本体１の雄螺子１４と蓋２の雌螺子２４は、互いに螺合するようになっている。また、容器本体１の胴部１１の内面と蓋２の中筒２２の外面とは、液密に接してスライド可能に作られている。
【００２４】
ゴム栓３は、蓋２の中筒２２の上端に嵌め込み、密栓できるようになっている。このゴム栓３は、密栓した状態でマイクロシリンジの針で貫通させ、容器本体１内の液体試料を取り出せるようになっている。
【００２５】
図３は、本発明の保存容器の一例で保存液を保存する状態を示した説明図である。
本例の保存容器で液体試料などの保存液４で保存するには、まず、容器本体１の中に保存液４を入れ、蓋２を被せて回すと、容器本体１の雄螺子１４と蓋２の雌螺子２４のより、蓋２の中筒２２が保存液４の中に沈んでいく。
【００２６】
中筒２２で押しのけられた保存液４は、中筒２２の内部を通って中筒２２の上端まで液面が上昇する。こうしておいて、図３のように、ゴム栓３で中に空気が残らないように、ヘッドスペースが無いように密栓する。以上のようにして、保存液４を本例の保存容器で保存することができる。
【００２７】
本例の保存容器から保存液４を取り出すには、マイクロシリンジを用い、マイクロシリンジの中空針をゴム栓３に突き刺し貫通させ、中の保存液４を取り出す。このとき、保存容器内が減圧しないように、蓋２を回して、容器本体１の雄螺子１４と蓋２の雌螺子２４のより、中筒２２を押し込むようにして、陽圧にしつつ行うと保存容器内に外気が入らない。ゴム栓３の弾性により、多少の圧力の変化にも変形して緩和することができる。
【００２８】
本発明の保存容器に用いる容器本体１の材料としては、ガラス製、プラスチック製、金属製などが好ましく、容器本体１が雄螺子１４を含めて一体成型できるものが望ましい。
【００２９】
同様に、蓋２の材料としては、ガラス製、プラスチック製、金属製などが好ましく、蓋２が雌螺子２４を含めて一体成型できるものが望ましい。
【００３０】
蓋２の中筒２２は、蓋２の他の部分と一体として成形してもよいが、別途、成形した後に一体化してもよい。そのとき、中筒２２の材料としては、ガラス製、プラスチック製などが好ましく、特にテフロン（登録商標）製など薬品に対し耐性のあるものが好ましい。
【００３１】
本発明の保存容器に用いるゴム栓３の材料としては、シリコンゴム製、テフロン（登録商標）製など薬品に対し耐性のあるものが好ましく、マイクロシリンジの中空針を貫通させて液体を採取することから、弾性体のものが望ましい。
【実施例】
【００３２】
以下に、本発明の具体的実施例について説明する。尚、本発明の技術的範囲はこれらの実施例に限られるものではない。
【００３３】
＜テスト１＞
図1に示した本発明の１００ｍｌ容量の保存容器を用いて、純水に酢酸エチルを１０ｐｐｍになるように調整した液体試料を保存液４として保存した。
【００３４】
この保存容器から保存液４の液体試料を、一日おきに１０ｍｌ採取し２０ｍｌバイアル瓶に入れ密封した。この操作を８回繰り返し８検体分の試料を作製した。保存液４の採取は、シリンジを用い、シリンジの中空針をゴム栓３に突き刺し貫通させ、保存液４を取り出した。このとき、蓋２を回して中筒２２を押し込むようにして保存容器内に外気が入らないように行った。保存は２５℃で行った。
【００３５】
このバイアル瓶に密封した液体試料をガスクロマトグラムで分析し、得られた酢酸エチルのピーク面積値を確認した。その結果を表１に示す。
【００３６】
【表１】
2013060229.tif 000003
＜分析結果＞
表１に示されるように、８検体の試料の酢酸エチルのピーク面積値に大きな差異はなかった。このことから、保存容器内の液体試料などの保存液を安定的に保存することができ、さらに、保存容器内の保存液を濃度変化させることなく採取でき、本発明の保存容器の性能が確認できた。
【００３７】
＜テスト２＞
＜実施例1＞
図１に示した本発明の２０ｍｌ容量の保存容器を用いて、純水に酢酸エチルを１０ｐｐｍになるように調整した液体試料を保存液４として保存した。
【００３８】
まず、初期サンプルとして、この保存容器から保存液４の液体試料を５ｍｌ採取し２０mlバイアル瓶に入れ密封した。このとき、テスト１と同様に保存容器内に外気が入らないように行った。
【００３９】
さらに保存容器を２５℃で２週間保存し後、この保存容器から保存液４の液体試料を５ｍｌ採取し２０mlバイアル瓶に入れ密封した。
【００４０】
＜比較例1＞
一方、特許文献１の２０ｍｌ容量の高気密保存容器を用いて、純水に酢酸エチルを１０ｐｐｍになるように調整した液体試料を保存液４として保存した。
【００４１】
この高気密保存容器から、初期サンプルとして、保存液４の液体試料を５ｍｌ採取し２０mlバイアル瓶に入れ密封した。
【００４２】
この高気密保存瓶は密栓後、２５℃にて２週間保存し、その後、保存していた液体試料を５ｍｌ採取し２０ｍｌバイアル瓶に入れ密封した。
【００４３】
＜試験方法＞
実施例と比較例の保存液４の液体試料をガスクロマトグラムで分析し、得られた酢酸エチルのピーク面積値を確認した。その結果を表２にまとめた。
【００４４】
【表２】
2013060229.tif 000004
以下に、実施例と比較例との比較結果について説明する。
【００４５】
＜比較結果＞
表２に示されるように、比較例１の特許文献１の２０ml容量の高気密保存容器から採取した液体試料の酢酸エチルのピーク面積値は２週間保存品では初期品の１／４になっていたが、実施例１の本発明の保存容器から採取した試料の酢酸エチルのピーク面積値は初期品
と２週間保存品で変わらなかった。
【００４６】
以上のように、本発明の保存容器では、保存容器内の液体試料などの保存液を濃度変化させることなく安定的に保存することがでる。
【符号の説明】
【００４７】
１・・・容器本体
１１・・・胴部
１２・・・底部
１３・・・開口部
１４・・・雄螺子
２・・・蓋
２１・・・外壁
２２・・・中筒
２３・・・頂板
２４・・・雌螺子
３・・・ゴム栓
４・・・保存液
【図１】
2013060229.tif 000005
【図２】
2013060229.tif 000006
【図３】
2013060229.tif 000007